(57)【要約】【課題】製造簡単にして安価に提供することができ、且つ過剰補給することなく一定量の水を一定期間安定的に植物等に補給することができる水補給具を提供する。【解決手段】水透過性膜で形成した包装袋に、少なくとも自重１重量部当り１００重量部以上の水を吸水できる高吸水性物質を封入する。或は一方の片面を水透過性膜で形成し、他方の片面を水不透過性のフィルムで形成した包装袋に、少なくとも自重１重量部当り１００重量部以上の水を吸水できる高吸水性物質を封入する。【選択図】　図３
2004065241.tif 000002
【特許請求の範囲】
【請求項１】
水透過性膜で形成した包装袋に、少なくとも自重１重量部当り１００重量部以上の水を吸水できる高吸水性物質を封入したことを特徴とする植物用水補給具。
【請求項２】
一方の片面を水透過性膜で形成し、他方の片面を水不透過性のフィルムで形成した包装袋に、少なくとも自重１重量部当り１００重量部以上の水を吸水できる高吸水性物質を封入したことを特徴とする植物用水補給具。
【請求項３】
水不透過性のフィルムを、水透過性膜よりも広い面積を有するものとし、適宜に折畳んで水透過性膜と同じ大きさにすると共に、該水透過性膜に重合させてその周縁を水透過性膜の周縁に固着させて包装袋としたことを特徴とする請求項２に記載の植物用水補給具。
【請求項４】
包装袋の一片に、土壌の表面を覆う覆片を設けたことを特徴とする請求項１及び請求項２に記載の植物用水補給具。
【発明の詳細な説明】
【０００１】
【発明の属する技術分野】本発明は、植物用水補給具に関するものである。
【０００２】
【従来の技術】近年のガーデニングブームに伴い、一般家庭でも草花等の植物栽培が行われ、庭を持たないマンションやオフィス等においてもベランダや室内においてプランターや植木鉢に植えた観葉植物などを置いて楽しむことが多くなってきている。
しかしながら、それらの植物への潅水は適宜間隔を置いて随時行わなければならず、そのため特に室内栽培の場合長期不在が出来ないという問題があった。
【０００３】
上記問題を解決するものとして、電動ポンプ等による自動給水器や例えば図１４に示すように取付部１１から下端（先端）にかけて徐々に細くなる筒状のノズル１０に設けた凹所１３に注水孔を適宜穿設し、該ノズル１０をペットボトル等の容器２０に取付けて、それを図１５に示すように植木鉢３０に挿し込んで給水するようにしたもの（特許文献１参照）等がある
【０００４】
【特許文献１】実用新案登録第３０４０５６０号公報
【０００５】
【発明が解決しようとする課題】しかしながら、電動ポンプ等による自動給水器は、使用頻度が少ない割りに価格が高く、又誤作動よる水漏れや吸水不足の心配もあり、又、ペットポトル等の容器により給水するようにしたものは、該容器が倒れて給水が出来なくるだけではなく、水が零れて植木鉢の周りを水浸しにしてしまうと云う虞もあった。
【０００６】
【課題を解決するための手段】そこで本発明は、前記従来の問題点に鑑みてなされたものであって、過剰給水することなく一定量の水を安定的に供給することが出来、然も安価に提供することが出来る水補給具を提供することを目的とするものであって、第１に水透過性膜で形成した包装袋に、少なくとも自重１重量部当り１００重量部以上の水を吸水できる高吸水性物質を封入したことを特徴とし、第２に一方の片面を水透過性膜で形成し、他方の片面を水不透過性のフィルムで形成した包装袋に、少なくとも自重１重量部当り１００重量部以上の水を吸水できる高吸水性物質を封入したことを特徴とする。
【０００７】
【発明の実施の形態】以下、本発明を図面に随って詳細に説明する。
１は本発明による水補給具であって、水透過性膜で形成された包装袋２に高吸水性物質３が封入されて構成されている。
包装袋２を形成する水透過性膜としては、不織布、天然繊維及び化学繊維その他高吸水性物質を内部に保持し、水を透過できるものであればよく、その材料には限定されず適宜に選択することが出来る。
又、高吸水性物質３としては、通常市販されている高分子吸収ポリマー等自重１重量部当り１００重部以上の水を給水できる能力を持つ物質であればよく、該高分子吸収ポリマーの他、無機多孔質物質（例えばシリカゲルやバーミキュライト等）や各種吸水繊維及び水を吸収し、膨潤可能な有機物質（例えばポリビニルアルコールやアルギン酸ナトリウム等）も使用可能であり、材料に限定はなく、自由に選択することができる。又、これらを併用することも可能である。
更に、高吸水性物質に、その吸水性を損なわない範囲で各種の肥料、植物生長調整剤、活性剤、抗菌剤等を配合することは推奨される。
【０００８】
尚、本発明の水補給具１は、植木鉢３０等の大きさ、即ち必要とする水の供給料に応じた各種の大きさのものを作成することができるが、包装袋２の大きさは、高吸水性物質３の重量と吸水力のよって決まるため、封入した高吸水性物質３が水を吸収したときの容量より収納量が大になるように設定しておくことが必要である。
【０００９】
図７は本発明の他の実施例を示すものであって、包装袋２の一方の片面を水透過性の膜、例えば不織布シート２１、他方の片面を水不透過性のフィルム２２によって形成したものである。
この実施例によれば、該不透過性のフィルム２２を上面にして植木鉢３０等に載置すれば、上面からの水の蒸発を防止することが出来るため、植木等への給水を効率よく、長期間行うことが出来る。
前記フィルム２２の材質としては、ポリエチレンシートやラミネートシート等吸水した高吸水性物質からの水の蒸発を防ぐことができるものであれば、その材質は問わず、各種のものが使用できる。更には、該フィルム２２として表面加工したアルミシート等を使用すれば、その反射光により植物に下から光を当てることにより、植物の成長を促進させることができるので、推奨される。
【００１０】
図８乃至図１１は上記実施例のものを更に発展させた実施例を示すものであって、水不透過性のフィルム２２を、不織布シート２１よりも広い面積を有するものを使用し、適宜に折畳んで不織布シート２１と同じ大きさとし、その周縁を該不織布シート２１の周縁に溶着等の手段により固着させて包装袋２としたものである。
この構成によれば、吸水時に、高吸水性物質３の膨潤と共に、フィルム２２が広げられ、不織布シート２１を底部とするドーム状の立体構造を形成する。従って、不織布シート２１の面積は一定であっても、フィルム２２の面積と折畳み形状及び折畳み数により、吸水量を大幅に向上させることができる。又、高吸水性物質３の膨潤の際、フィルム２２に不織布シート２１への張力が発生することがないので、不織布シート２１は反り返ることがなく、該不織布シート２１を土壌上に置いたとき、略全面を接地させることができる。
尚、不織布シート２１の接地表面積当たりの吸水量の増加及び水の蒸発を防止する目的のみであれば、水補給具を予め、樹脂等で立体構造に成型したものを使用すればよいのであるが、この場合には製品として嵩張るものとなり、コンパクト性及び形状の融通性が損なわれるため好ましくない。
【００１１】
【実施例】次に、本発明の水補給具１の使用方法について説明する。
先ず、使用直前に該水補給具１を水を張ったポリバケツ等に投入させ、高吸水性物質３に水を充分に吸収させる。然る後、補給を必要とする植物を植えた容器、例えば図６に示す植木鉢３０の土壌３１の上に載置させる。
これにより、植物からの吸収や土壌３１表面からの水分の蒸発により土壌３１が乾燥すると、土壌３１と接している水補給具１の下面をから高吸水性物質３に吸収させた水分が供給される。土壌３１の水分が飽和状態になると、水補給具１からの水の供給は止り、乾燥すると又供給が行われるという現象が繰返される。この現象は水補給具１に吸収した水分がなくなるまで繰返される。従って、長期に亘り、植物への水の供給が可能になる。
【００１２】
〔実施例１〕　水透過性の不織布シート２１をヒートシールにより接着して８ｃｍ×８ｃｍ角の包装袋２を形成し、該包装袋２に高吸水性物質３として高分子吸収ポリマー（サンフレッシュ（登録商標）ＳＴ−１００）を０．５ｇ封入して水補給具１を構成した。（図３参照）
次に、該水補給具１を、水を張ったバケツ（図示せず）に投入し、充分に水を吸収させた。（図５参照）この時の水の量は８０ｃｃであった。然る後、該水補給具１を３個、観葉植物３２を植えた植木鉢３０の土壌３１上に載置した。（図６参照）この時の土壌３１の状態は観葉植物３２に水を補給する時期であるやや乾いた状態であった。
この状態で室温２５℃の室内に３日間放置したが、土壌３１表面も内部も湿潤しており、観葉植物３２も元気であった。
対象として、同条件の植木鉢を用意し、そのまま３日間放置したが、土壌は完全に乾燥し、観葉植物もしおれ気味であった。
【００１３】
〔実施例２〕　水透過性の不織布シート２１とポリエチレン製の水不透過性のフィルム２２をヒートシールにより接着して８ｃｍ×８ｃｍ角の包装袋２を形成した。（図７参照）他は実施例１と同様の条件で、該フィルム２２面を上にして同実験を行った。
その結果、放置後１週間経過しても土壌３１表面も内部も湿潤しており、観葉植物３２も元気であった。
【００１４】
〔実施例３〕　８ｃｍ×８ｃｍ角の水透過性の不織布シート２１と、１３ｃｍ×１３ｃｍ角のポリエチレン製水不透過性のフィルム２２を適宜に折畳んで前記不織布シート２１と同じ大きさの８ｃｍ×８ｃｍ角の大きさにし、該不織布シート２１に重合させてその周縁を不織布シート２１の周縁に固着させて包装袋２を形成し、該包装袋２に高吸水性物質３として高分子吸収ポリマー（サンフレッシュ（登録商標）ＳＴ−１００）を０．７５ｇ封入して水補給具１を構成した（図８乃至図１０参照）。
次に、該水補給具１を、水を張ったバケツ（図示せず）に投入し、充分に水を吸収させた。吸水後の水補給具１はドーム状の立体的構造を示し、空間的な余裕が見られた（図１１参照）。又、平面上に置いた時にも、不織布シート２１は反り返ることがなく、略下面全面を接地させることができた。又、フイルム２２の張力も弱いため、その形状をある程度変形させることが可能であった。
尚、このときの水の量は１８０ｃｃであった。
害水補給具１を用いて前記実施例１と同様の実験を行った結果、２週間経っても土壌３１の表面も内部も湿潤しており、観葉植物３２も元気であった。
【００１５】
図１２は包装袋２の一片に、土壌３１の表面を覆う覆片４，４を設けた例を示すものであって、該覆片４は水不透過性のフィルム２２の一側端を延設して該フイルム２２と一体に形成してもよく、又、ビニールシート等他の材料により形成し、該包装袋２に固着するようにしてもよい。
該覆片４を設けたことにより、図１３に示すように、植木鉢３０の土壌３１の略全面を覆うことが出来るため、土壌３１の水分の蒸発を防止することができ、その分水遣り期間を長くすることが出来る。
又、上記各実施例では、水補給具１を８ｃｍ×８ｃｍ角の四角形状或は図１２に示すような三角形状としたが、これに限るものではなく、使用場所に応じてその場所にあった適宜形状、適宜大きさのものを使用することができる。
更に、本発明の水補給具は、鉢植えの観葉植物用としてだけではなく、庭木や街路樹或は露地栽培植物等にも応用できるものである。
【００１６】
【発明の効果】以上述べたように本発明の請求項１によれば、水透過性膜で形成した包装袋に、少なくとも自重１重量部当り１００重量部以上の水を吸水できる高吸水性物質を封入したので、植木鉢に植えた観葉植物等に数日或は長期間に亘って水を補給することができるので、安心して旅行等を楽しむことができる。又、本発明の水補給具は、植木鉢の大きさ或は使用日数によってその使用数を適宜に調節することができるだけではなく、肉眼で保水量を確認できるため、補充時期を一目で知ることができるだけではなく、該水補給具が乾いてきたら再び水中に投入することにより、再吸水させることができるため、繰り返し使用が可能であ、効率よく使用することができる。
又、本発明の水補給具は、製造が極めて簡単であり、安価に提供でき、然も使用方法も簡単であり、場所を選ばずどこでも使用でき、然も水が零れることがないので、植物の運搬の際にも利用できる。
更に、本発明の水補給具は、室内の観葉植物、一般の鉢植えの草花或は盆栽用としてだけではなく、庭木、露地栽培植物、街路樹、植林苗木等広範囲に利用可能である。
【００１７】
又、請求項２によれば、一方の片面を水透過性膜で形成し、他方の片面を水不透過性のフィルムで形成した包装袋に、少なくとも自重１重量部当り１００重量部以上の水を吸水できる高吸水性物質を封入したので、水の蒸発を防止することができるので、その分水の補給効率をよくし、且つ補給時間を長くすることができるので、上記効果をより一層上げることができる。
【００１８】
又、請求項３によれば、水不透過性のフィルムを、水透過性膜よりも広い面積を有するものとし、適宜に折畳んで水透過性膜と同じ大きさにすると共に、該水透過性膜に重合させてその周縁を水透過性膜の周縁に固着させて包装袋としたので、水透過性膜の面積当たりの吸水量、即ち、該水補給具の設置表面積当たりの給水量を大幅に増加することができ、然も水透過性膜に反り返りがなく、且つ形状の融通性が高いため、前記効果をより一層高めることができる。
【００１９】
更に、請求項４によれば、包装袋の一片に、土壌の表面を覆う覆片を設けたので、水の蒸発防止効果を略完全なものとすることが出来る。
【図面の簡単な説明】
【図１】本発明による水補給具の斜視図
【図２】同上の平面図
【図３】図２のＡ−Ａ線断面図
【図４】本発明による水補給具の一部を展開した斜視図
【図５】同上水補給具の水を含んだ状態を示す斜視図
【図６】同上水補給具の使用状態を示す斜視図
【図７】本発明の他の実施例を示す図２のＡ−Ａ線に相当する断面図
【図８】本発明の他の実施例を示す水補給具の斜視図
【図９】同上の平面図
【図１０】図９のＢ−Ｂ線断面図
【図１１】同上水補給具の水を含んだ状態を示すＢ−Ｂ線断面図
【図１２】本発明の他の実施例を示す水補給具の平面図
【図１３】同上水補給具の使用状態を示す斜視図
【図１４】従来の水補給具の一例を示す要部側面図
【図１５】同上の使用状態を示す斜視図
【符号の説明】
１　水補給具
２　包装袋
２１　不織布シート
２２　フィルム
３　高吸水性物質
４　覆片
【図１】
2004065241.tif 000003
【図２】
2004065241.tif 000004
【図３】
2004065241.tif 000005
【図４】
2004065241.tif 000006
【図５】
2004065241.tif 000007
【図６】
2004065241.tif 000008
【図７】
2004065241.tif 000009
【図８】
2004065241.tif 000010
【図９】
2004065241.tif 000011
【図１０】
2004065241.tif 000012
【図１１】
2004065241.tif 000013
【図１２】
2004065241.tif 000014
【図１３】
2004065241.tif 000015
【図１４】
2004065241.tif 000016
【図１５】
2004065241.tif 000017